(57)【要約】【課題】手の指の筋肉の鍛練と手首の鍛練とを併せて行うことができるようにする。【解決手段】グローブ本体２の手首側部分における面ファスナー取付片５の外面に面ファスナー１３を取り付けると共に甲側の部分に面ファスナー１２を取り付ける。中央に弾性板９を介在させた固定板８の指先側部分８ａと手首側部分８ｂの内面に夫々面ファスナー１０、１１を取り付ける。固定板８の指先側部分８ａに一端を接続した弾性板１４、１５、１６、１７の夫々の他端を、人差指、中指、薬指、小指の各先端部分に接続する。グローブ本体２の親指の先端部分に一端を接続した弾性板１８の他端に、内面に面ファスナー２０を取り付けた固定片１９を接続する一方、親指の付け根部分の外面に面ファスナー２１を取り付ける。【選択図】　　　　図２
0003098925.tif 000002
【実用新案登録請求の範囲】
【請求項１】
手首側の開口部から入れた切り込み部の縁に突設した面ファスナー等の止着部材の取付片の内面に面ファスナー等の止着部材の一方側を取り付ける一方、該面ファスナー等の止着部材の一方側と対をなす面ファスナー等の止着部材の他方側を、前記切り込み部を挟んだ甲側部分に取り付けたグローブ本体と、適宜の弾性を有する平板状のゴム等からなる弾性板を中央に介在させると共に、指先側部分の内面と手首側部分の内面に夫々面ファスナー等の止着部材の一方側を取着した、前記グローブ本体の甲側の部分に、手首側から指先側に沿って配置される固定板と、前記グローブ本体における甲側部分と、前記グローブ本体の手首側の部分に設けた面ファスナー等の止着部材の取付片の外面とに夫々取り付けた、前記固定板の内面に取り付けた面ファスナー等の止着部材の一方側の夫々と対をなす面ファスナー等の止着部材の他方側と、前記グローブ本体の人差指、中指、薬指、小指の各指の甲側の部分に沿って配置し、一端側をこれら人差指、中指、薬指、小指の各指の先端部分に接続する一方、他端側を前記固定板における指先側部分に接続した、適宜の弾性を有する平板状のゴム等からなる弾性板と、前記グローブ本体の親指の外面部分に沿って配置し、一端側を該親指の先端部分に接続する一方、他端側を後記固定片に接続した、適宜の弾性を有する平板状のゴム等からなる弾性板と、前記グローブ本体の親指の先端部分に一端側を接続した弾性板の他端側に接続され、内面に面ファスナー等の止着部材の一方側を取り付けた固定片と、前記グローブ本体の親指の付け根における外面部分に取り付けた、前記固定片に取り付けた面ファスナー等の止着部材と対をなす面ファスナー等の止着部材の他方側とからなる筋肉鍛練用グローブ。
【請求項２】
全ての止着部材が面ファスナーであり、グローブ本体における甲側部分に取り付けた面ファスナーを、手首側から指先側に沿って所定の長さとしてなる請求項１記載の筋肉鍛練用グローブ。
【請求項３】
グローブ本体における人差指、中指、薬指、小指の各指の甲側の部分に、各弾性板の固定板に近い部分を潜らせて保持するガイドを設ける一方、グローブ本体における親指の外側部分に、弾性板の固定片に近い部分を潜らせて保持するガイドを設けてなる請求項１又は２記載の筋肉鍛練用グローブ。
【請求項４】
グローブ本体の指先部分を、反り返らないように強度を高めてなる請求項１、２又は３記載の筋肉鍛練用グローブ。
【請求項５】
グローブ本体における人差指、中指、薬指、小指の全体を柔軟性カバーで被覆してなる請求項１、２、３又は４記載の筋肉鍛練用グローブ。
【考案の詳細な説明】
【０００１】
【考案の属する技術分野】
本考案は特にリハビリ等のために手の指及び手首の筋肉を鍛練するに適した筋肉鍛練用グローブに関するものである。
【０００２】
【従来の技術】
リハビリ等のために手の指先部分の筋肉を鍛練する手段としては、古くは二つの胡桃を用い、これを掌に包んで擦り合わせることによって行ったり、或いはバネ材からなる針金を中央部をコイル状に巻いて二股状になすと共に夫々の端部にグリップ部を取り付け、指で両グリップ部を挟み付けるようにした鍛練具を用いる等していた。
【０００３】
【考案が解決しようとする課題】
ところで、リハビリ等のためには手の筋肉全体を鍛練することが望ましいが、斯かる従来の手段による場合には、手の指の筋肉の鍛練だけで、手首の筋肉の鍛練を行うことはできなかった。
【０００４】
本考案は上記の点に鑑みなされたものであって、手の指の筋肉の鍛練と手首の筋肉の鍛練とを併せて行うことができるようになした筋肉鍛練用グローブを提供せんとするものである。
【０００５】
【課題を解決するための手段】
而して、本考案の要旨とするところは、手首側の開口部から入れた切り込み部の縁に突設した面ファスナー等の止着部材の取付片の内面に面ファスナー等の止着部材の一方側を取り付ける一方、該面ファスナー等の止着部材の一方側と対をなす面ファスナー等の止着部材の他方側を、前記切り込み部を挟んだ甲側部分に取り付けたグローブ本体と、適宜の弾性を有する平板状のゴム等からなる弾性板を中央に介在させると共に、指先側部分の内面と手首側部分の内面に夫々面ファスナー等の止着部材の一方側を取着した、前記グローブ本体の甲側の部分に、手首側から指先側に沿って配置される固定板と、前記グローブ本体における甲側部分と、前記グローブ本体の手首側の部分に設けた面ファスナー等の止着部材の取付片の外面とに夫々取り付けた、前記固定板の内面に取り付けた面ファスナー等の止着部材の一方側の夫々と対をなす面ファスナー等の止着部材の他方側と、前記グローブ本体の人差指、中指、薬指、小指の各指の甲側の部分に沿って配置し、一端側をこれら人差指、中指、薬指、小指の各指の先端部分に接続する一方、他端側を前記固定板における指先側部分に接続した、適宜の弾性を有する平板状のゴム等からなる弾性板と、前記グローブ本体の親指の外面部分に沿って配置し、一端側を該親指の先端部分に接続する一方、他端側を後記固定片に接続した、適宜の弾性を有する平板状のゴム等からなる弾性板と、前記グローブ本体の親指の先端部分に一端側を接続した弾性板の他端側に接続され、内面に面ファスナー等の止着部材の一方側を取り付けた固定片と、前記グローブ本体の親指の付け根における外面部分に取り付けた、前記固定片に取り付けた面ファスナー等の止着部材と対をなす面ファスナー等の止着部材の他方側とからなる筋肉鍛練用グローブにある。
【０００６】
また、上記構成において、全ての止着部材を面ファスナーとし、そしてグローブ本体における甲側部分に取り付けた面ファスナーを、手首側から指先側に沿って所定の長さとなしてもよい。
【０００７】
このようになした場合には、固定板の位置をグローブ本体の指先に対して接離する方向に適宜にずらすことによって弾性板の張力を変え、指にかかる負荷を変えることができるものである。
【０００８】
また、前記構成において、グローブ本体における人差指、中指、薬指、小指の各指の甲側の部分に、各弾性板の固定板に近い部分を潜らせて保持するガイドを設ける一方、グローブ本体における親指の外側部分に、弾性板の固定片に近い部分を潜らせて保持するガイドを設けるようにしてもよい。
【０００９】
このようになした場合には、固定板がグローブ本体から離れてブラブラせず、見栄えが悪くならない。また、迅速に鍛練に入ることができる。
【００１０】
また、上記構成において、グローブ本体の指先部分を、反り返らないように強度を高めるようにしてもよい。
【００１１】
このようになした場合には、指先の腹側の部分で弾性板を引く状態となる。したがって、指を曲げる際にグローブ本体の指先が弾性板で引かれて反り返り、指先に強く当たって痛みを感じることを解消することができる。
【００１２】
また、上記構成において、グローブ本体における人差指、中指、薬指、小指の全体を柔軟性カバーで被覆するようにしてもよい。
【００１３】
このようになした場合には、弾性板全体を覆い隠すことができ、見栄えがよい。また、迅速に鍛練に入ることができる。
【００１４】
【考案の実施の形態】
以下、本考案の実施の形態について図面を参照しつつ説明する。
図１は本考案の平面図、図２は本考案の使用状態の斜視図である。
【００１５】
図中、１は筋肉鍛練用グローブである。２はグローブ本体である。また、該グローブ本体２は、手首側の開口部３から入れた切り込み部４の縁に突設した止着部材としての面ファスナーの取付片５の内面に止着部材としての面ファスナー６を取り付ける一方、該面ファスナー６と対をなす止着部材としての面ファスナー７を、前記切り込み部４を挟んだ甲側部分に取り付けている。
【００１６】
８は前記グローブ本体２の甲側の部分に、手首側から指先側に沿って配置される固定板である。また、該固定板８は、適宜の弾性を有する平板状のゴム等からなる弾性板９を中央に介在させると共に、指先側部分８ａの内面と、手首側部分８ｂの内面に夫々止着部材としての面ファスナー１０、１１を取着してなるものである。
【００１７】
１２は前記グローブ本体２における甲の部分の外面に取り付けた、前記固定板８の指先側部分８ａの内面に取り付けた面ファスナー１０と対をなす止着部材としての面ファスナーである。また、該面ファスナー１２は手首側から指先側に沿って所定の長さとしている。
【００１８】
１３は前記面ファスナー取付片５の外面に取り付けた、前記固定板８の手首側部分８ｂの内面に取り付けた面ファスナー１１と対をなす止着部材としての面ファスナーである。
【００１９】
１４、１５、１６、１７は前記グローブ本体２の人差指、中指、薬指、小指の各指の甲側の部分に沿って配置し、一端側をこれら人差指、中指、薬指、小指の各指の先端部分に接続する一方、他端側を前記固定板８における指先側部分８ａに接続した、適宜の弾性を有する平板状のゴム等からなる弾性板である。
【００２０】
１８は前記グローブ本体２の親指の外面部分に沿って配置した、適宜の弾性を有する平板状のゴム等からなる弾性板である。また、該弾性板１８は一端側をグローブ本体２の親指の先端部分に接続する一方、他端側を後記固定片に接続している。
【００２１】
１９は前記弾性板１８の他端側に接続され、内面に止着部材としての面ファスナー２０を取り付けた固定片である。
【００２２】
２１は前記グローブ本体２の親指の付け根部分における外面に取り付けた、前記固定片１９の面ファスナー２０と対をなす止着部材としての面ファスナーである。
【００２３】
２２、２３、２４、２５は前記グローブ本体２における人差指、中指、薬指、小指の各指の甲側の部分に設けた、各弾性板１４、１５、１６、１７の固定板８に近い部分を潜らせて保持するガイドである。
【００２４】
２６は前記グローブ本体２における親指の外側部分に設けた、弾性板１８の固定片１９に近い部分を潜らせて保持するガイドである。
【００２５】
次に、上記実施形態の作用について説明する。
先ず、グローブ本体２に手を入れ、面ファスナー６、７をもって開口部３をしっかりと閉じる。それから図２中矢標Ａで示す如く固定板８の面ファスナー１０をグローブ本体２の甲側部分の面ファスナー１２の適宜の位置に貼り合わせる。また、図２中矢標Ｂで示す如く固定片１９の面ファスナー２０をグローブ本体２の親指の付け根部分の外面に取り付けた面ファスナー２１に貼り合わせる。そしてこの状態において全ての指を一斉に内側に折り曲げるものである。このとき指には弾性板１４、１５、１６、１７、１８の負荷がかかり、もって指の筋肉が鍛練されるものである。
【００２６】
また、手首の筋肉を鍛練する場合には、図２中矢標Ｃで示す如く固定板８の手首側部分８ｂを引っ張って弾性板９を引き延ばし、この状態において面ファスナー１１をグローブ本体２の手首側の面ファスナー１３に貼り合わせるものである。そしてこの状態において手首を前後に曲げるものであり、これにより手首に弾性板９、１４、１５、１６、１７の負荷がかかり、もって手首の筋肉が鍛練されるものである。
【００２７】
【考案の効果】
本考案は上記の如き構成、作用であるから、手の指の筋肉の鍛練と手首の筋肉の鍛練とを併せて行うことができるものである。
【００２８】
また、すべての止着部材を面ファスナーとし、そしてグローブ本体における甲側部分に取り付けた面ファスナーを、手首側から指先側に沿って所定の長さとなした場合には、固定板の位置をグローブ本体の指先に対して接離する方向にずらすことによって弾性板の張力を変え、指にかかる負荷を変えることができるものである。
【００２９】
また、グローブ本体における人差指、中指、薬指、小指の各指の甲側の部分に、各弾性板の固定板に近い部分を潜らせて保持するガイドを設ける一方、グローブ本体における親指の外側部分に、弾性板の固定片に近い部分を潜らせて保持するガイドを設けた場合には、固定板がグローブ本体から離れてブラブラせず、見栄えが悪くならない。また、迅速に鍛練に入ることができる。
【００３０】
また、グローブ本体の指先部分を、反り返らないように強度を高めるようになした場合には、指先の腹側の部分で弾性板を引く状態となる。したがって、指を曲げる際にグローブ本体の指先が弾性板で引かれて反り返り、指先に強く当たって痛みを感じることを解消することができる。
【００３１】
また、グローブ本体における人差指、中指、薬指、小指の全体を柔軟性カバーで被覆するようになした場合には、弾性板全体を覆い隠すことができ、見栄えがよい。また、迅速に鍛練に入ることができる。
【図面の簡単な説明】
【図１】本考案の平面図である。
【図２】本考案の使用状態の斜視図である。
【符号の説明】
１　筋肉鍛練用グローブ
２　グローブ本体
３　開口部
４　切り込み部
５　面ファスナー取付片
６　面ファスナー
７　面ファスナー
８　固定板
８ａ　指先側部分
８ｂ　手首側部分
９　弾性板
１０、１１　面ファスナー
１２　面ファスナー
１３　面ファスナー
１４、１５、１６、１７　弾性板
１８　弾性板
１９　固定片
２０　面ファスナー
２１　面ファスナー
２２、２３、２４、２５　ガイド
２６　ガイド
【図１】
0003098925.tif 000003
【図２】
0003098925.tif 000004